(57)【特許請求の範囲】
【請求項１】
複数のアンプとアンプコントロール装置とがネットワークに少なくとも接続されているアンプコントロールシステムであって、
前記アンプコントロール装置は、
前記各アンプが、上位の階層グループから下位の階層グループへ展開されていくツリー構造の階層グループのいずれの階層グループに属するかを取得して、ツリー構造の前記階層グループと、前記階層グループに属している前記アンプとがツリー表示されるツリー表示部と、所定の前記アンプの動作状態を示すパラメータ値が表示される状態情報表示部とを有している表示手段と、
前記ツリー表示部に表示されている前記階層グループのいずれかあるいは前記アンプのいずれかを選択することのできる操作手段とを少なくとも備え、
前記ツリー表示部に表示されている前記アンプのいずれかが前記操作手段により選択された際に、選択されたアンプのパラメータ値が取得されて前記状態情報表示部に表示され、前記ツリー表示部に表示されている前記階層グループのいずれかが前記操作手段により選択された際に、選択された階層グループに属する全てのアンプのパラメータ値が取得されて、同じ種類のパラメータにあっては、前記選択された階層グループに属する全てのアンプにおける取得された同じ種類のパラメータ値の最小値、最大値あるいは平均値の内の予め設定された値が当該パラメータ値として、前記状態情報表示部に表示されることを特徴とするアンプコントロールシステム。
【請求項２】
前記パラメータ値の最小値、最大値あるいは平均値の内の表示される値を設定する際に、パラメータの種類毎に前記表示される値を設定することができるようにしたことを特徴とする請求項１記載のアンプコントロールシステム。
【請求項３】
前記パラメータ値がそれぞれ表示されている表示部位のいずれかにカーソルを合わせて操作することにより、当該表示部位に表示される前記パラメータ値のアンプを選択することができるようにしたことを特徴とする請求項１記載のアンプコントロールシステム。
【請求項４】
前記ツリー表示部に表示された前記階層グループのいずれかが前記操作手段により選択された際に、選択された階層グループに属しているアンプのいずれかを選択する選択タブが前記表示部に表示され、該選択タブで選択されたアンプのパラメータ値が取得されて、前記状態情報表示部に表示されることを特徴とする請求項１記載のアンプコントロールシステム。
【請求項５】
前記ツリー表示部に表示された前記階層グループのいずれかが前記操作手段により選択された際に、選択された階層グループに属する全てのアンプのパラメータ値が取得されて、選択された階層グループに属する全てのアンプ数だけ用意された細長いストリップ表示部に、アンプ毎のパラメータ値が表示されることを特徴とする請求項１記載のアンプコントロールシステム。
【発明の詳細な説明】
【技術分野】
【０００１】
この発明は、ネットワークに接続されている複数のオーディオアンプをコントロールするアンプコントロールシステムに関する。
【背景技術】
【０００２】
従来、コンサートホールや劇場などの音響拡声装置（ＰＡ：Public Address）や音楽製作などに使用されるプロ用のオーディオシステムがある。このオーディオシステムにおいては多くのオーディオアンプが使用されており、所定の場所に配置された多数のスピーカにそれぞれオーディオ信号を供給している。この場合、オーディオシステムをネットワーク化してオーディオアンプをネットワークに接続し、ネットワークを介して各オーディオアンプをコントロールするアンプコントロール装置が知られている。
【発明の開示】
【発明が解決しようとする課題】
【０００３】
複数のアンプとアンプコントロール装置とがネットワークに接続されている本出願人が提案しているアンプコントロールシステムにおいては、ネットワークに存在しているすべてのアンプであって、グループ化されたアンプのツリー表示と、アンプの動作状態を示す状態情報表示がアンプコントロール装置に表示される。アンプコントロール装置に表示されるコントロール用画面の一例を図８に示す。図８に示すコントロール用画面１４０においては、グループ化されたアンプがツリー表示部１４２にツリー表示され、ツリー表示部１４２で選択されているアンプの動作状態が状態情報表示部１４３に表示されている。また、ツリー表示部１４２には４つのグループ「Ｄｅｖｉｃｅ」「Ｒａｃｋ」「ＦｅｅｄＳｔ」「Ｕ．Ｄ．１」の内の選択されたグループがツリー表示される。ツリー表示するグループはタブ１４１により選択することができ、図８ではグループ「Ｒａｃｋ」が選択されて、グループ「Ｒａｃｋ」がツリー表示部１４２にツリー表示されている。ツリー表示では、グループをさらに展開した階層グループと階層グループに属するアンプを表示することができる。なお、グループ「Ｄｅｖｉｃｅ」はネットワークに接続されているデバイス別のグループであり、グループ「Ｒａｃｋ」はアンプが積まれているラックのグループであり、グループ「ＦｅｅｄＳｔ」はアンプに接続されているスピーカのエリア別・役割別とされるグループであり、グループ「Ｕ．Ｄ．１」はユーザ定義のグループである。
【０００４】
アンプコントロール装置では、コントロール用画面１４０に表示されたツリー表示部１４２において所望のアンプを選択することにより、選択されたアンプの動作状態を状態情報表示部１４３に表示する。これにより、選択されたアンプのモニタリングを行うことができる。この場合、大規模な音響ホールになると、使用するアンプの数は数十台から数百台もの膨大な数になるため、１台１台を選択してモニタリングすることは現実的でないため、複数台のアンプの動作状態を一度に表示させてモニタリングしたり、個別のアンプをモニタリングできるユーザインタフェースを用意してページをめくるようにして全てのアンプをモニタリングすることが考えられる。
【０００５】
しかしながら、上記した手段により全てのアンプをモニタリングすることは煩雑であって多くの時間を必要とするという問題がある。また、個々のアンプの全てのパラメータを常にモニタリングしておく必要はなく、パラメータの概要をモニタリングできればアンプの状態をある程度モニタリングすることができる。
【０００６】
そこで、本発明は、必要とするアンプのパラメータを手間をかけることなくモニタリングすることのできるアンプコントロールシステムを提供することを目的としている。
【課題を解決するための手段】
【０００７】
上記目的を達成するために、本発明のアンプコントロールシステムは、階層グループのいずれかが選択された際に、選択された階層グループに属する全てのアンプのパラメータ値を取得して、同種のパラメータにおけるパラメータ値の最小値、最大値あるいは平均値の内の予め設定された値が当該パラメータの値として表示されることを最も主要な特徴としている。
【発明の効果】
【０００８】
本発明によれば、階層グループのいずれかが選択された際に、選択された階層グループに属する全てのアンプのパラメータ値を取得して、同種のパラメータにおけるパラメータ値の最小値、最大値あるいは平均値の内の予め設定された値が当該パラメータの値として表示されることから、全てのアンプにおけるパラメータの概要を手間をかけることなくモニタリングすることができるようになる。
【発明を実施するための最良の形態】
【０００９】
本発明の実施例にかかるアンプコントロールシステムの構成を示すブロック図を図１に示す。
図１に示すアンプコントロールシステム１は、ネットワーク２を備えており、このネットワーク２には、アンプコントロール機能を備えるパーソナルコンピュータ（ＰＣ）１０と、ＡＣＵ（アンプコントロールユニット）１２と、アンプ１３ａ、１３ｂ、１３ｃ、１３ｄとが接続されている。ネットワーク２は、一般的に用いられているイーサネットにより構築されておりスイッチングハブ等のハブ１１を備えている。このネットワーク２に、例えばアンプを最大２５２台接続することができる。ＰＣ１０にはアンプコントロール用プログラムがインストールされており、ＰＣ１０においてアンプコントロール用プログラムを起動することにより、アンプコントロールシステム１に存在する全てのアンプを制御対象としてネットワーク２を介して制御することができるようにされている。この場合、アンプコントロールシステム１には、ネットワーク２に接続できるインタフェースを備えるアンプ１３ａ〜１３ｄがネットワーク２に接続されると共に、ネットワーク２に接続できるインタフェースを備えていないアンプをＡＣＵ１２に接続して、ＡＣＵ１２を介してネットワーク２に接続することができる。すなわち、ＡＣＵ１２は、ネットワーク２に接続できるインタフェースを備えていないアンプをネットワーク２に接続する仲介を行うようにしている。これにより、アンプコントロールシステム１においては、ネットワーク２に接続できるインタフェースを備えるアンプは当然のことであるが、ネットワーク２に接続できるインタフェースを備えていないアンプをも、ＰＣ１０がネットワーク２を介して制御することができるようになる。
【００１０】
ネットワーク２は、コンピュータネットワークの規格の一つであって一般的に用いられているイーサネット (Ethernet) により構築されており、イーサネットはＯＳＩ参照モデルの下位二つの層である物理層およびデータリンク層で規定されている。なお、ネットワーク２を、イーサネットとＴＣＰ／ＩＰプロトコルを組合せたＬＡＮ（Local Area Network）で構築することもできる。ネットワーク２に接続されているアンプ１３ａ〜１３ｄには、図示しないオーディオケーブルを介してオーディオ信号が伝達されるようにされ、ネットワーク２を介して制御情報が伝達されるようにされている。アンプ１３ａ〜１３ｄに供給されるオーディオ信号は、コンサートホールや劇場などに設置された複数のマイクからの信号がミキサによりミキシングされたミキシング信号とされている。また、アンプ１３ａ〜１３ｄから出力されるオーディオ信号を放音するスピーカが、アンプ１３ａ〜１３ｄにオーディオケーブルを介してそれぞれ１台以上接続されており、各スピーカはコンサートホールや劇場内に分散して設置されている。
【００１１】
ＰＣ１０およびアンプ１３ａ〜１３ｄとＡＣＵ１２とはそれぞれイーサネットケーブルを介してハブ１１に接続されることによりネットワーク２が物理的に構成されている。ネットワーク２に接続するイーサネット端子を備えていないアンプは、シリアルポートを備えており、ＡＣＵ１２が備えているシリアルポートとシリアルケーブルを介して接続されることにより、イーサネット端子を備えていないアンプがネットワーク２に接続されているようにＰＣ１０から見えるようになる。これにより、ネットワーク２に接続されているアンプ１３ａ〜１３ｄと、ＡＣＵ１２を介してネットワーク２に接続されているアンプとを、ＰＣ１０によりネットワーク２を介して制御することができる。
【００１２】
ネットワーク２に接続されているＰＣ１０，ＡＣＵ１２およびアンプ１３ａ〜１３ｄにはそれぞれ一意のＩＰアドレスがネットワーク２により設定されている。ネットワーク２では制御情報が伝達され、ＰＣ１０とＡＣＵ１２およびアンプ１３ａ〜１３ｄとの間で制御情報が授受される。授受される制御情報としては、イーサネット通信を行うに必要なＡＣＵ１２およびアンプ１３ａ〜１３ｄのデバイスＩＤ（Identification）およびデバイス名の情報と、デバイスが属するグループのグループ情報およびデバイスの動作状態を表す状態情報とされる。ＰＣ１０には、アンプコントロール用プログラムがインストールされており、ＰＣ１０においてアンプコントロール用プログラムが起動されると、ＰＣ１０はネットワーク２に接続されているＡＣＵ１２およびアンプ１３ａ〜１３ｄからそれぞれデバイス情報を取得する要求をネットワーク２を介して行う。この要求に従ってネットワーク２を介して各デバイスから受け取ったデバイス情報に基づいて、ＰＣ１０はプロジェクトファイルを作成する。この場合、ＡＣＵ１２のデバイス情報には、ＡＣＵ１２に接続されているアンプとシリアル通信を行うことにより取得したアンプのデバイス情報が含まれている。プロジェクトファイルは、デバイス情報とグループ名とから構成される。グループは、観点を異ならせたアンプ群の複数のグループであり、例えばアンプの配置を観点としたラックグループ（Rack）やアンプの役割を観点としたフィードストラクチャグループ（Feed St.）、および、グループの観点をユーザが定義するユーザ定義グループ（U.D.1）がある。これらのグループのグループ名はＰＣ１０において設定することができる。
【００１３】
このように、いくつかの観点を異ならせたアンプ群の複数のグループとすることにより、ネットワーク２に数十台から数百台のアンプが接続されても、いずれかのグループを選択して観点の異なる検索を行うことで目的とするアンプに容易に到達できるようになる。なお、実際のコンサートホールや演劇場などにおいては、数十台から数百台のアンプを使用することが多くされている。
そして、ＰＣ１０においてアンプコントロール用プログラムが起動されてプロジェクトファイルが作成されると、取得されたアンプのデバイス情報に基づいてネットワーク２に存在する全てのアンプがツリー表示されるようになる。表示される際には、全てのアンプにおけるグループ情報が、プロジェクトファイルからＰＣ１０により取り出されて、グループ情報に従って各アンプがＰＣ１０の表示部にツリー表示されるようになる。また、表示部には所定のアンプの動作状態を表示させてモニタリングすることができる。
【００１４】
ここで、アンプ１３ａ〜１３ｄの構成を説明するが、アンプ１３ａ〜１３ｄは同一構成とされていることから、アンプ１３ａ〜１３ｄをアンプ１３としてその構成を示すブロック図を図２に示す。
図２に示すアンプ１３において、ＣＰＵ２０はアンプ１３の全体の動作を制御すると共に、アンプ制御用プログラム等の動作ソフトウェアを実行している。ＲＯＭ２１には、ＣＰＵ２０が実行するアンプ制御用プログラム等の動作ソフトウェアが格納されており、ＲＡＭ２２には、ＣＰＵ２０のワークエリアや自機のデバイス情報や状態情報等のデータを記憶する記憶エリアが設定されている。このＲＯＭ２１をフラッシュメモリ等の書き換え可能なＲＯＭとすることで、動作ソフトウェアの書き換えを可能とすることができ、動作ソフトウェアのバージョンアップを容易に行うことができる。検出回路２３は、アンプ１３に設けられているアッテネータ等の操作子２４を走査することによって操作子２４のイベントを検出して、イベントのあった操作子２４に対応するイベント出力を出力している。表示回路２５は、入力レベルおよび出力レベルやアンプ設定画面等を液晶表示器（ＬＣＤ）等の表示器２６に表示させている。
【００１５】
通信Ｉ／Ｆ２７は、イーサネットのインタフェースでありネットワーク通信ケーブル（イーサネットケーブル）を介してネットワーク２に接続される。この通信Ｉ／Ｆ２７を介してＰＣ１０等の外部機器２８と論理的に接続される。増幅回路２９は、図示しないオーディオケーブルを介してアンプ１３に入力されたオーディオ信号を増幅する増幅回路であり、増幅回路２９により増幅されたオーディオ信号はスピーカ３０から放音される。状態監視回路３１は、増幅回路２９を監視して増幅回路２９の動作状態を表す状態情報を作成している。この状態情報を、ＰＣ１０がアンプ３のモニタリングのために状態情報を要求した際には、状態監視回路３１で作成された状態情報がＰＣ１０に送信される。状態情報としては、アンプ１３のパワースイッチのオン／オフ、入力レベルおよび出力レベル、ヒートシンクの温度、過大入力によるリミッタのオン／オフ動作、出力保護回路のオン／オフ動作等とされる。なお、状態監視回路３１では、スピーカ３０のインピーダンス値をモニタすることにより、スピーカ３０の動作状況を確認することができる。
【００１６】
次に、ＰＣ１０の表示器に表示されるコントロール用画面の一例を図３に示す。
図３に示すコントロール用画面４０は、ツリー表示部４２と状態情報表示部（Ａｍｐ  Ｍｏｎｉｔｏｒ）４３とを有し、ツリー表示部４２に表示する複数のタブ４１が表示されている。このツリー表示部４２に表示するグループタイプを選択する複数のタブ４１が設けられている。図３においては、グループタイプとして「Ｒａｃｋ」のタブ４１が選択されて白抜き表示とされており、ツリー表示部４２にラックグループが表示されている。ツリー表示部４２には、エリア名「Ａｒｅａ−１」のエリアに属するアンプ群がツリー表示されており、ラックグループを展開した第１階層の２グループのグループ名が「００１  ＦＯＨ」および「Ｍｏｎｉｔｏｒ」とされている。また、第１階層グループ「００１  ＦＯＨ」を展開した第２階層の３グループのグループ名が「Ｓｔａｇｅ  Ｌ」「Ｓｔａｇｅ  Ｒ」「Ｏｐｅｒａｔｏｒ」とされている。ここで、「ＦＯＨ」とはFront Of Houseの略であり舞台等の前に位置するオペレータ室を意味していると共に、「Ｓｔａｇｅ  Ｌ」「Ｓｔａｇｅ  Ｒ」は舞台の左と右を意味しており、ラックグループがアンプの配置別のグループとされていることが分かる。
【００１７】
さらに、第２階層グループ「Ｓｔａｇｅ  Ｌ」を展開した第３階層の２グループのグループ名が「００１  Ｒａｃｋ  ＃１」「００２  Ｒａｃｋ  ＃２」とされている。そして、第３階層グループ「００１  Ｒａｃｋ  ＃１」が展開されて第３階層グループ「００１  Ｒａｃｋ  ＃１」に「００１：００１  Ｔｘ６ｎ」「００２：００２  Ｔｘ６ｎ」「００３：００３  Ｔｘ６ｎ」の３台のアンプが属していることが表示されている。この場合、「００１  Ｒａｃｋ  ＃１」「００２  Ｒａｃｋ  ＃２」はラック名であり、ラック「００１  Ｒａｃｋ  ＃１」に「００１：００１  Ｔｘ６ｎ」「００２：００２  Ｔｘ６ｎ」「００３：００３  Ｔｘ６ｎ」の３台のアンプが積まれていることが分かる。なお、「００１：００１  Ｔｘ６ｎ」における先頭の「００１」が当該アンプのデバイスＩＤであり、「００１  Ｔｘ６ｎ」がデバイス名である。他の２台のアンプも同様である。なお、図３に示すラックツリー表示において、「□」の中に「+」が記入されている記号の上でクリックすると、その下の階層に展開されてツリー表示されるようになる。
【００１８】
また、状態情報表示部４３にはツリー表示部４２において選択されたアンプまたは選択された階層グループに所属するアンプの動作状態を示す状態情報が表示される。また、図３に示すツリー表示部４２においては第３階層グループ「００１  Ｒａｃｋ  ＃１」が選択されて白抜き表示され、第３階層グループ「００１  Ｒａｃｋ  ＃１」に属するアンプの代表的な状態情報あるいは第３階層グループの中で選択されたアンプの状態情報が表示される。状態情報表示部４３に表示される状態情報はアンプのパワースイッチのオン／オフ、入力レベルおよび出力レベル、ヒートシンクの温度、過大入力によるクリップのオン／オフ動作、出力保護回路のオン／オフ動作等とされる。具体的な例が図３に示されており、図３では入力が２系統、出力が２系統のアンプの状態情報とされている。すなわち、２系統の入力の動作状態を示すAnalog Input 1とAnalog Input 2の欄には、クリップのオン／オフ状態を示すClipボタンＡ１１，Ａ２１と、入力レベルを示すレベルメータＡ１２，Ａ２２と、入力側に警告があるかないかのオン／オフ状態を示すAlertボタンＡ１３，Ａ２３と、ミュートのオン／オフ状態を示すMuteボタンＡ１４，Ａ２４とが設けられている。オン／オフ状態を示すボタンは点灯によりオン状態が示され，ボタン上でクリックすることにより状態を反転させることができる。また、Master欄にはパワースイッチのオン／オフを示すPower OnボタンＭ１が設けられている。
【００１９】
さらに、２系統の出力の動作状態を示すSpeaker Output AとSpeaker Output Bの欄には、クリップのオン／オフ状態を示すClipボタンＳｐ１０，Ｓｐ２０と、出力レベルを示すレベルメータＳｐ１１，Ｓｐ２１と、出力側の警告があるかないかのオン／オフ状態を示すAlertボタンＳｐ１２，Ｓｐ２２と、アッテネータのオン／オフ状態を示すAttボタンＳｐ１３，Ｓｐ２３と、出力する最大レベルを設定するボリュームＳｐ１４，Ｓｐ２４と、ボリュームＳｐ１４，Ｓｐ２４の設定値を表示する表示部Ｓｐ１５，Ｓｐ２５と、音量レベルを調整するフェーダＳｐ１６，Ｓｐ２６と、フェーダＳｐ１６，Ｓｐ２６の設定値を表示する表示部Ｓｐ１７，Ｓｐ２７と、ソロのオン／オフ状態を示すSoloボタンＳｐ１８，Ｓｐ２８と、ミュートのオン／オフ状態を示すMuteボタンＳｐ１９，Ｓｐ２９とが設けられている。
【００２０】
ここで、ツリー表示部４２において図３に示すように階層グループが選択された場合は、当該階層グループに属するアンプの代表的な状態情報あるいは階層グループの中で選択されたアンプの状態情報が表示される。代表的な状態情報とは、レベルのように値を持つ状態情報の場合は、選択された階層グループに属するアンプにおけるパラメータの最大値、平均値あるいは最小値のいずれかがそのパラメータの値として表示される。この場合、パラメータの最大値、平均値あるいは最小値のいずれかをユーザは選択して表示することができると共に、選択された階層グループに属するアンプのいずれかを指定して、選択されたアンプの状態情報を表示させることができる。また、オン／オフの状態情報の場合はオン状態が優先されて表示され、選択された階層グループに属するアンプのうちの１台でもオン状態となっていればそのパラメータはオン状態で表示されるようになる。
なお、ツリー表示部４２において階層グループに替えて単体のアンプが選択された場合は、選択されたアンプの状態情報が状態情報表示部４３に表示されるようになる。
【００２１】
ここで、図３に示すツリー表示部４２において第３階層グループ「００１  Ｒａｃｋ  ＃１」が選択された場合にＰＣ１０において表示器に表示されるパラメータ選択画面７０を図４に示す。
図４に示すパラメータ選択画面７０では、状態情報表示部４３に表示するパラメータのターゲットをターゲット（Target）欄７１にて選択し、パラメータの最大値、平均値あるいは最小値のいずれを表示するかをパラメータ（Parameter）欄７２で選択し、パラメータのピークホールドのオン／オフをピークホールド（PeakHold）欄７３で選択する。ターゲット欄７１では、右端の「▼」をクリックするとツリー表示部４２において第３階層グループ「００１  Ｒａｃｋ  ＃１」が選択されている場合は、「ＡＬＬ」、「００１：００１  Ｔｘ６ｎ」、「００２：００２  Ｔｘ６ｎ」、「００３：００３  Ｔｘ６ｎ」のいずれかを選択する図示するポップアップが表示され、ユーザによりいずれかが選択される。ここで、「ＡＬＬ」が選択されるとグループ「００１  Ｒａｃｋ  ＃１」に属する３台のアンプが選択され、３台のアンプのパラメータにおいて最大値、平均値あるいは最小値のいずれを表示するかをパラメータ欄７２で選択することができる。
【００２２】
パラメータ欄７２では、「▼」をクリックすると平均値である「Average」、最小値である「Min」、最大値である「Max」のいずれかを選択する図示するポップアップが表示され、ユーザによりいずれかが選択される。また、ターゲット欄７１で「ＡＬＬ」以外のアンプ単体が選択された場合は、パラメータ欄７２はグレー表示されて選択操作することができないようになる。そして、ピークホールド欄７３では、「▼」をクリックすると「Ｏｎ」、「Ｏｆｆ」のいずれかを選択する図示するポップアップが表示され、ユーザによりいずれかが選択される。選択した内容で表示する場合は、「ＯＫ」ボタン７４をクリックし、表示内容をクリアする場合は「キャンセル（Cancel）」ボタン７５をクリックする。
なお、状態情報表示部４３において各々のパラメータが表示されるボタン等の表示部位上でポインティングデバイスを右クリックすると、ポップアップ画面が表示され、このポップアップ画面においてパラメータ毎に最大値、平均値あるいは最小値のいずれかを選択することができるようになる。さらに、表示されたポップアップ画面により選択された階層グループに属するアンプのいずれかをパラメータ毎に指定して、選択されたアンプの当該パラメータ値やオン／オフ状態をパラメータ毎に表示させることができる。
【００２３】
図３に示すようなコントロール用画面４０は、ＰＣ１０においてコントロール用画面を表示する操作を行うことにより表示される。この際に、ＰＣ１０においてコントロール用画面を表示する表示処理が行われる。この表示処理では、ネットワーク２に接続されているＡＣＵ１２およびアンプ１３ａ〜１３ｄのデバイス情報がプロジェクトファイルから読み出される。そして、読み出されたアンプ１３ａ〜１３ｄのデバイス情報から「デバイスＩＤ」、「デバイス名」、「エリアＩＤ」、「エリア名」、「グループ情報」の情報が取り出される。また、ＡＣＵ１２のデバイス情報は、ＡＣＵ１２に接続されているアンプのデバイス情報とされ、このデバイス情報から「デバイスＩＤ」、「デバイス名」、「エリアＩＤ」、「エリア名」、「グループ情報」の情報が取り出される。「グループ情報」にはアンプが属しているグループを示す情報と、アンプがツリーのいずれの階層に属しているかを示す情報とが含まれている。
【００２４】
次いで、取り出された情報からエリアＩＤを参照して、同じエリアＩＤを有している同じエリアに属するアンプ群にまとめ、各エリアに属しているアンプ各々のグループ情報を参照し、第１階層のグループ毎のアンプ群にまとめ、さらに次の階層のグループのアンプ群にまとめることを最終の階層であるラックのグループまで行い、各階層毎に属するアンプをデバイス名順で並べることによりツリーが作成される。
また、ＰＣ１０は選択されたアンプあるいは選択された階層グループに属するアンプの状態情報をネットワーク２を介して周期的に取得しており、取得した状態情報に基づいて各パラメータの最大値、平均値あるいは最小値のうちの指定された値を算出している。そして、作成されたツリーをツリー表示部４２に、算出されたパラメータの状態情報を状態情報表示部４３に表示する描画処理が行われると、図３に示すコントロール用画面４０がＰＣ１０の表示器に表示されるようになる。このようにして、アンプの動作状態のパラメータの値あるいは状態が状態情報表示部４３に表示されることにより、選択されたアンプあるいは選択された階層グループに属する１つ以上のアンプのモニタリングを行うことができるようになる。
【００２５】
次に、ＰＣ１０の表示器に表示されるコントロール用画面の他の例を図５に示す。
図５に示すコントロール用画面５０は、ツリー表示部５２と状態情報表示部（Ａｍｐ  Ｍｏｎｉｔｏｒ）５３とを有し、ツリー表示部５２に表示する複数のタブ５１が表示されている。このツリー表示部５２に表示するグループタイプを選択する複数のタブ５１が設けられている。図５においては、グループタイプとして「Ｒａｃｋ」のタブ５１が選択されて白抜き表示とされており、ツリー表示部５２にラックグループが表示されている。ツリー表示部５２に表示されているラックグループの表示形態は、図３に示すツリー表示部４２の表示形態と同様とされているのでその説明は省略する。
また、状態情報表示部５３にはツリー表示部５２において選択されたアンプまたは選択された階層グループに所属するアンプの動作状態を示す状態情報が表示される。この場合、ツリー表示部５２において階層グループが選択された場合は、選択された階層グループに属するアンプを選択する選択タブ５４が状態情報表示部５３に表示される。ここで、図５に示すように第３階層グループ「００１  Ｒａｃｋ  ＃１」が選択されて白抜き表示された場合は、第３階層グループ「００１  Ｒａｃｋ  ＃１」に属するデバイスＩＤ「００１」「００２」「００３」のアンプのいずれかを選択する選択タブ５４が表示される。ここで、例えば、「００３」が選択されて白抜き表示されると、選択されたアンプ「００３：００３  Ｔｘ６ｎ」の状態情報が状態情報表示部５３に表示される。状態情報表示部５３に表示される状態情報の表示形態は図３に示す表示形態と同様とされているのでその説明は省略する。
【００２６】
次に、ＰＣ１０の表示器に表示されるコントロール用画面のさらに他の例を図６に示す。
図６に示すコントロール用画面６０は、ツリー表示部６２と状態情報表示部（Ａｍｐ  Ｍｏｎｉｔｏｒ）６３とを有し、ツリー表示部６２に表示する複数のタブ６１が表示されている。このツリー表示部６２に表示するグループタイプを選択する複数のタブ６１が設けられている。図６においては、グループタイプとして「Ｒａｃｋ」のタブ６１が選択されて白抜き表示とされており、ツリー表示部６２にラックグループが表示されている。ツリー表示部６２に表示されているラックグループの表示形態は、図３に示すツリー表示部４２の表示形態と同様とされているのでその説明は省略する。
また、状態情報表示部６３にはツリー表示部６２において選択された階層グループに所属する全てのアンプのそれぞれの動作状態を示す状態情報が表示される。この場合、選択された階層グループに属するアンプ数に相当する数のストリップ表示部が状態情報表示部５３に表示され、各ストリップ表示部に各アンプの動作状態を示す状態情報が表示される。
【００２７】
ここで、図６に示すように第３階層グループ「００１  Ｒａｃｋ  ＃１」が選択されて白抜き表示された場合は、状態情報表示部６３に第３階層グループ「００１  Ｒａｃｋ  ＃１」に属するアンプ「００１：００１  Ｔｘ６ｎ」の状態情報が第１ストリップＳＴ１に表示され、アンプ「００２：００２  Ｔｘ６ｎ」の状態情報が第２ストリップＳＴ２に表示され、アンプ「００３：００３  Ｔｘ６ｎ」の状態情報が第３ストリップＳＴ３に表示される。第１ストリップＳＴ１ないし第３ストリップＳＴ３の各ストリップ表示部に表示される状態情報の表示形態は、図３に示す各パラメータのアイコンが縮小された表示形態とされる。第１ストリップＳＴ１ないし第３ストリップＳＴ３の各ストリップ表示部では、２系統の入力の動作状態を示すＡＩ１とＡＩ２の欄と、２系統の出力の動作状態を示すＳＯ１とＳＯ２の欄と、パワースイッチのオン／オフを示すボタンＰ．ＳＷが設けられている。ＡＩ１とＡＩ２の欄にはクリップボタン、レベルメータ、警告ボタン、ミュートボタンとが設けられている。ＳＯ１とＳＯ２の欄には、クリップボタン、レベルメータ、警告ボタンと、アッテネータボタン、ボリューム、ボリュームの表示部、フェーダ、フェーダの表示部、ソロボタン、ミュートボタンとが設けられている。
なお、各ストリップ表示部に表示させるパラメータを主要なパラメータや必要とするパラメータに制限して、状態情報表示部６３に表示可能なストリップ表示部の表示数を増加するようにしてもよい。
【００２８】
次に、一定周期、例えば２０ｍｓないし３０ｍｓ毎にＰＣ１０において起動されるパラメータ値表示処理のフローチャートを図７に示す。
パラメータ値表示処理が起動されると、ステップＳ１０にてアンプの状態情報における全てのパラメータの値を取得したか否かが判断されるが、ここでは起動直後とされていることから全てのパラメータをまだ取得していないと判断されてステップＳ１１に進む。ステップＳ１１ではターゲットとするアンプが取得される。ターゲットされるアンプは、ツリー表示部において選択されたアンプあるいは選択された階層グループに属しているアンプとされる。次いで、特定のアンプが指定されているか否かがステップＳ１２にて判断される。ここで、ツリー表示部においてアンプが選択されており特定のアンプが指定されている場合は、ステップＳ１５に分岐して指定されたアンプのパラメータ値の最初の一つが取得される。また、ツリー表示部において階層グループが選択されている場合は特定のアンプが指定されていないと判断されてステップＳ１３に進む。
【００２９】
ステップＳ１３では、選択された階層グループに属する全てのアンプから最初の一つの同じパラメータ値が取得されて、平均値（Ａｖｅ）、最小値（Ｍｉｎ）、最大値（Ｍａｘ）の設定にしたがって、ステップＳ１４にて表示する値が算出される。そして、ステップＳ１４あるいはステップＳ１５の処理が終了すると、ステップＳ１４で算出されたパラメータ値あるいはステップＳ１５で取得されたパラメータ値がステップＳ１６にて再描画される。再描画されるとステップＳ１７にて次のパラメータに移動してステップＳ１０に戻り、ステップＳ１０ないしステップＳ１５の処理が行われることにより、次のパラメータのパラメータ値が取得あるいは算出され、ステップＳ１６にて再描画されて、ステップＳ１７にて次のパラメータに移動する。このように、ステップＳ１０ないしステップＳ１７の処理が繰り返し行われることにより、アンプの状態情報におけるパラメータ値が順次取得されて再描画され、全てのパラメータの値が取得されるとステップＳ１０において取得済みとハンダされて、パラメータ値表示処理は終了する。なお、再描画されて表示される状態情報は、アンプのパワースイッチのオン／オフ、入力レベルおよび出力レベル、ヒートシンクの温度、過大入力によるリミッタのオン／オフ動作、出力保護回路のオン／オフ動作等とされる。また、スピーカに接続されているスピーカの動作状況を含めてもよい。
このパラメータ値表示処理が実行されることにより、選択されたアンプあるいは選択された階層グループに属する１つ以上のアンプの動作状態の最新のパラメータの値あるいは状態が状態情報表示部４３に表示されて、当該アンプの最新の動作状態のモニタリングを行うことができる。
【産業上の利用可能性】
【００３０】
以上説明した本発明においては、ネットワークに制御情報だけを流すようにしたが、オーディオ信号と制御情報とをネットワークに流すようにしても良い。さらに、ネットワークはイーサネットとしたがＬＡＮにより構築するようにしても良い。
なお、ラックグループ、フィードストラクチャグループ、ユーザ定義グループ等のグループは、観点を異ならせたアンプ群のグループとされていることから、これらのグループに各アンプが重複して属するようになる。また、これらのグループを展開した階層グループにおいては、各アンプはいずれか一つの階層グループに属するようになり、複数の階層グループに所属先を持つことはない。
【図面の簡単な説明】
【００３１】
【図１】本発明の実施例にかかるアンプコントロールシステムの構成を示すブロック図である。
【図２】本発明にかかるアンプコントロールシステムにおけるアンプの構成を示すブロック図である。
【図３】本発明にかかるアンプコントロールシステムにおけるＰＣの表示器に表示されるコントロール用画面の一例を示す図である。
【図４】本発明にかかるアンプコントロールシステムにおいて階層グループが選択された際に表示されるパラメータ選択画面を示す図である。
【図５】本発明にかかるアンプコントロールシステムにおけるＰＣの表示器に表示されるコントロール用画面の他の例を示す図である。
【図６】本発明にかかるアンプコントロールシステムにおけるＰＣの表示器に表示されるコントロール用画面のさらに他の例を示す図である。
【図７】本発明にかかるアンプコントロールシステムにおいて、一定周期毎にＰＣにおいて起動されるパラメータ値表示処理のフローチャートである。
【図８】提案しているアンプコントロール装置に表示されるコントロール用画面の一例を示す図である。
【符号の説明】
【００３２】
１  アンプコントロールシステム、２  ネットワーク、３  アンプ、１０  ＰＣ、１１  ハブ、１２  ＡＣＵ、１３ａ〜１３ｄ  アンプ、２０  ＣＰＵ、２１  ＲＯＭ、２２  ＲＡＭ、２３  検出回路、２４  操作子、２５  表示回路、２６  表示器、２７  通信Ｉ／Ｆ、２８  外部機器、２９  増幅回路、３０  スピーカ、３１  状態監視回路、４０  コントロール用画面、４１  タブ、４２  ツリー表示部、４３  状態情報表示部、５０  コントロール用画面、５１  タブ、５２  ツリー表示部、５３  状態情報表示部、５４  選択タブ、６０  コントロール用画面、６１  タブ、６２  ツリー表示部、６３  状態情報表示部、７０  パラメータ選択画面、７１  ターゲット欄、７２  パラメータ欄、７３  ピークホールド欄、７４  ＯＫボタン、７５  キャンセルボタン、１４０  コントロール用画面、１４１  タブ、１４２  ツリー表示部、１４３  状態情報表示部
【図１】
0005295550.tif 000002
【図２】
0005295550.tif 000003
【図３】
0005295550.tif 000004
【図４】
0005295550.tif 000005
【図５】
0005295550.tif 000006
【図６】
0005295550.tif 000007
【図７】
0005295550.tif 000008
【図８】
0005295550.tif 000009